(57)【要約】【課題】  他の媒体によることなく、ディスクそのものによるバックアップを行うことができるバックアップシステムおよびその方法を提供する。【解決手段】  ユーザシステム１０は、コンピュータ１１のシステムディスク１２および／またはユーザディスク１３をミラーリングおよび／またはレプリケーションしてバックアップディスク４１を作製し、近地バックアップセンタ２０および／または遠地バックアップセンタ３０に保管する。【選択図】  図１
2005301893.tif 000002
【特許請求の範囲】
【請求項１】
ユーザシステムと、近地バックアップセンタと、遠地バックアップセンタからなるバックアップシステムであって、
前記ユーザシステムは、コンピューターのシステムディスクおよび／またはユーザディスクをミラーリングおよび／またはレプリケーションする複製手段と、
前記コンピューターのバックアップおよび／または障害復旧において、前記近地バックアップセンタおよび／または前記遠地バックアップセンタに保管されているミラーリングおよび／またはレプリケーションされた前記システムディスクおよび／またはユーザディスクの一方をバックアップ媒体に使用する使用手段を備え、
前記近地バックアップセンタは、前記ユーザシステムの前記複製手段によりミラーリングおよび／またはレプリケーションされた前記システムディスクおよび／またはユーザディスクを受け付けて保管する受付手段と、
前記受付手段により受け付けられた前記システムディスクおよび／またはユーザディスクを再度、ミラーリングおよび／またはレプリケーションする再複製手段を備え、
前記遠地バックアップセンタは、前記近地バックアップセンタの前記再複製手段によりミラーリングおよび／またはレプリケーションされた前記システムディスクおよび／またはユーザディスクを受け付けて保管する保管手段を備えることを特徴とするバックアップシステム。
【請求項２】
前記ミラーリングは、ハードウエアミラーおよび／またはソフトウエアミラーであることを特徴とする請求項１記載のバックアップシステム。
【請求項３】
前記ユーザシステムの複製手段は、コンピューターのシステムディスクおよび／またはユーザディスクをミラーリングおよび／またはレプリケーションして３以上のバックアップディスクを作成し、それぞれの前記バックアップディスクに世代が異なるデータを格納して管理することを特徴とする請求項１または２記載のバックアップシステム。
【請求項４】
ユーザシステムと、近地バックアップセンタと、遠地バックアップセンタを利用したバックアップ方法であって、
前記ユーザシステムが、コンピューターのシステムディスクおよび／またはユーザディスクをミラーリングおよび／またはレプリケーションするステップを有し、
前記近地バックアップセンタが、前記ユーザシステムによりミラーリングおよび／またはレプリケーションされた前記システムディスクおよび／またはユーザディスクを受け付けて保管するステップと、
受け付けられた前記システムディスクおよび／またはユーザディスクを再度、ミラーリングおよび／またはレプリケーションするステップを有し、
前記遠地バックアップセンタが、前記近地バックアップセンタによりミラーリングおよび／またはレプリケーションされた前記システムディスクおよび／またはユーザディスクを受け付けて保管するステップを有し、
前記ユーザシステムが、前記コンピューターのバックアップおよび／または障害復旧において、前記近地バックアップセンタおよび／または前記遠地バックアップセンタに保管されているミラーリングおよび／またはレプリケーションされた前記システムディスクおよび／またはユーザディスクの一方をバックアップ媒体に使用するステップを有することを特徴とするバックアップ方法。
【請求項５】
前記ミラーリングは、ハードウエアミラーおよび／またはソフトウエアミラーであることを特徴とする請求項４記載のバックアップ方法。
【請求項６】
前記ミラーリングおよび／またはレプリケーションするステップにおいて、前記ユーザシステムが、コンピューターのシステムディスクおよび／またはユーザディスクをミラーリングおよび／またはレプリケーションして３以上のバックアップディスクを作製し、それぞれの前記バックアップディスクに世代が異なるデータを格納して管理することを特徴とする請求項４または５記載のバックアップ方法。
【発明の詳細な説明】
【技術分野】
【０００１】
本発明は、複製されたディスクを用いたバックアップシステムおよびその方法に関する。
【背景技術】
【０００２】
従来、コンピュータのバックアップ／障害復旧サービスでは、バックアップのためにテープ媒体やネットワークを使用していた。このため、復旧時にテープ媒体のリストアやシステムの再インストールを必要とし、復旧に時間、労力および費用がかかっていた。
【０００３】
また、ユーザシステムにおいてネットワークを使用した遠隔地へのバックアップを行う場合には、遠隔地にもバックアップを行うためのユーザシステムが必要であり、遠隔地にユーザシステムが存在するような企業にしか実現することが困難であった。ここで、ネットワークを使用したバックアップサービスを行うバックアップセンタが存在するが、回線利用料とバックアップセンタのサービス料が必要であり、災害対策としてのバックアップ運用としては、費用がかかりすぎる傾向にある。特に、中小企業では、専用のバックアップセンタを利用することは、費用的に困難な状況にあり、従来からのテープ媒体によるバックアップ運用をしていることが多かった。
【０００４】
ここで、サーバ上にある無停止システムのバックアップ方法を実現するプログラムは、グループウエアのシステム領域およびデータ領域を３重化ミラーリングし、プログラムは、ｐｌｅｘ１２を切り離した後、切り離したボリューム１０を物理バックアップし、プログラムは、バックアップを行っている間、残りの２ｐｌｅｘで２重化ミラーリングを行い、システムを運転させることにより、サーバを停止させることなくデータを短時間でミラーリングする無停止システムのバックアップの技術が提案されている（例えば、特許文献１参照）。
【特許文献１】特開２０００−３５３０５５号公報
【発明の開示】
【発明が解決しようとする課題】
【０００５】
しかしながら、上述した従来例においては次のような問題点があった。
【０００６】
バックアップのためにテープ媒体やネットワークを使用していたため、復旧時にテープ媒体のリストアや、ネットワークを使用したデータ転送や、コンピュータの再インストールを行う必要があり、このようなテープ媒体やネットワークを使用したバックアップからの障害復旧では、ユーザが求める復旧時間のニーズを満たせないことがあるという問題点があった。さらに、ディスクでのバックアップ／障害復旧作業は、ユーザでも実施可能であるが、ユーザシステム以外でのバックアップディスクの保管や、バックアップ／障害復旧の作業を実施してほしいという要望もあった。
【０００７】
そこで、本発明は、他の媒体によることなく、ディスクそのものによるバックアップを行うことができるバックアップシステムおよびその方法を提供することを目的とする。
【課題を解決するための手段】
【０００８】
本発明のバックアップシステムは、ディスクのミラーリングおよび／またはレプリケーションを使用してバックアップを実現し、ミラーリングおよび／またはレプリケーションにより別ディスクへ複製し、バックアップ媒体を複数ヶ所に保管することにより、障害時にディスクの交換のみで障害の復旧が可能であるため、障害を迅速に復旧することができるとともにバックアップ媒体の安全性を向上する。
【０００９】
本発明のバックアップ方法は、ディスクのミラーリングおよび／またはレプリケーションを使用してバックアップを実現し、ミラーリングおよび／またはレプリケーションにより別ディスクへ複製し、バックアップ媒体を複数ヶ所に保管することにより、障害時にディスクの交換のみで障害の復旧が可能であるため、障害を迅速に復旧することができるとともにバックアップ媒体の安全性を向上する。
【発明の効果】
【００１０】
本発明のバックアップシステムおよびその方法によれば、ディスクによるバックアップであるため、障害時にディスクの交換のみで障害の復旧が可能であり、障害を迅速に復旧することができる。
【発明を実施するための最良の形態】
【００１１】
次に、本発明の実施の形態の構成について図面を参照して説明する。
【００１２】
図１を参照すると、本実施形態は、ユーザシステム１０と、近地バックアップセンタ２０と、遠地バックアップセンタ３０から構成されている。
【００１３】
ユーザシステム１０は、コンピュータ１１とバックアップディスク４１から構成されている。コンピュータ１１は、システムディスク１２とユーザディスク１３から構成されている。システムディスク１２は、ディスク１Ａと１Ｂで構成され、この２つのディスクはミラーリングおよび／またはレプリケーションで構成されている。ユーザディスク１３は、ディスク２Ａ／２Ｂ／３Ａ／３Ｂ／４Ａ／４Ｂで構成され、２Ａと２Ｂ、３Ａと３Ｂ、４Ａと４Ｂのディスクは、ミラーリングおよび／またはレプリケーションで構成されている。
【００１４】
また、バックアップディスク４０は、ディスク１Ｂ／２Ｂ／３Ｂ／４Ｂで構成されている。
【００１５】
また、バックアップディスク４１は、ディスク１Ｃ／２Ｃ／３Ｃ／４Ｃで構成されている。
【００１６】
近地バックアップセンタ２０は、コンピュータ２１とバックアップディスク４２とバックアップディスク４４から構成されている。コンピュータ２１は、システムディスク２２とユーザディスク２３から構成されている。システムディスク２２は、ディスク５Ａと５Ｂで構成され、この２つのディスクはミラーリングで構成されている。ユーザディスク２３は、複数のディスクを装てんすることができ、ミラーリングおよび／またはレプリケーションを使用してディスクの複製を作成することができる。
【００１７】
図１では、ディスク１Ｄ／２Ｄ／３Ｄ／４Ｄを、ディスク１Ｅ／２Ｅ／３Ｅ／４Ｅにそれぞれミラーリングおよび／またはレプリケーションで複製している例を示している。
【００１８】
また、バックアップディスク４２は、ディスク１Ｄ／２Ｄ／３Ｄ／４Ｄで構成され、バックアップディスク４４は、ディスク１Ｆ／２Ｆ／３Ｆ／４Ｆで構成されている。
【００１９】
遠地バックアップセンタ３０は、バックアップディスク４３で構成されている。バックアップディスク４３は、ディスク１Ｅ／２Ｅ／３Ｅ／４Ｅで構成されている。
【００２０】
ユーザシステム１０は、ユーザ先で動作しているパーソナルコンピュータ等の情報処理装置であり、コンピュータ１１のバックアップは、コンピュータを停止させてミラーリングおよび／またはレプリケーションで構成されている片方のディスクを交換することにより、ディスクでのバックアップを実施している。本バックアップに関するバックアップディスクの交換やバックアップディスクの調達は、バックアップセンタのバックアップ／障害復旧サービスを使用してもよい。
【００２１】
近地バックアップセンタ２０は、バックアップ／障害復旧サービスを実施するバックアップセンタであり、ユーザシステムの近地に存在している。また、近地バックアップセンタ２０では、本運用に必要なバックアップディスクの貸し出しと、ユーザ先でのバックアップ採取と、バックアップディスクの運搬と、バックアップディスクの保管と、障害復旧を行うサービスを実施している。
【００２２】
また、バックアップディスクをコンピュータ２１のユーザディスク２３を使用して、ミラーリングおよび／またはレプリケーションで複製を作成し、複製したバックアップディスクを遠地バックアップセンタ３０に運搬することにより、複数のバックアップセンタでバックアップディスクを保管し、バックアップ媒体の安全性を向上している。バックアップディスクを遠地バックアップセンタ３０に運搬した際に、遠地バックアップセンタに以前のバックアップディスクが存在する場合は、再利用可能なバックアップディスクとして近地バックアップセンタ２０に運搬する。
【００２３】
遠地バックアップセンタ３０は、バックアップ／障害復旧サービスを実施するバックアップセンタであり、ユーザシステムの遠地に存在している。遠地バックアップセンタ３０は、近地バックアップセンタ２０から運搬されたバックアップディスク４３の保管を行う。
【００２４】
次に、本実施形態における障害復旧サービスは、図２を参照すると、ユーザシステム１０と、近地バックアップセンタ２０と、遠地バックアップセンタ３０から構成されている。
【００２５】
ユーザシステム１０は、コンピュータ１１とバックアップディスク４１から構成されている。コンピュータ１１は、システムディスク１２とユーザディスク１３から構成されている。システムディスク１２は、ディスク１Ａと１Ｂで構成され、この２つのディスクはミラーリングおよび／またはレプリケーションで構成されている。ユーザディスク１３は、ディスク２Ａ／２Ｂ／３Ａ／３Ｂ／４Ａ／４Ｂで構成され、２Ａと２Ｂ、３Ａと３Ｂ、４Ａと４Ｂのディスクは、ミラーリングおよび／またはレプリケーションで構成されている。
【００２６】
また、障害ディスク５０は、ディスク１Ａ／２Ａ／３Ａ／４Ａで構成され、障害ディスク５１は、ディスク１Ｂ／２Ｂ／３Ｂ／４Ｂで構成されている。
【００２７】
また、バックアップディスク４１は、ディスク１Ｃ／２Ｃ／３Ｃ／４Ｃで構成されている。
【００２８】
近地バックアップセンタ２０は、バックアップディスク４２で構成されている。バックアップディスク４２は、ディスク１Ｄ／２Ｄ／３Ｄ／４Ｄで構成されている。
【００２９】
遠地バックアップセンタ３０は、バックアップディスク４３で構成されている。バックアップディスク４３は、ディスク１Ｅ／２Ｅ／３Ｅ／４Ｅで構成されている。
【００３０】
ユーザシステム１０は、ユーザ先で動作しているパーソナルコンピュータ等の情報処理装置であり、コンピュータ１１が障害により起動できなくなっている。
【００３１】
近地バックアップセンタ２０は、バックアップ／障害復旧サービスを行うバックアップセンタであり、ユーザシステムの近地に存在している。また、近地バックアップセンタ２０では、ユーザシステム１０のコンピュータ１１の障害復旧のため、バックアップディスク４２の運搬と、ディスク交換による障害復旧を行う。
【００３２】
遠地バックアップセンタ３０は、バックアップ／障害復旧サービスを行うバックアップセンタであり、ユーザシステムの遠地に存在している。また、遠地バックアップセンタ３０では、ユーザシステム１０のコンピュータ１１の障害復旧のため、近地バックアップセンタ２０のバックアップディスク４２が使用できない場合、遠地バックアップセンタ３０からバックアップディスク４３の運搬と、ディスク交換による障害復旧を行う。
【００３３】
次に、図３および図４を参照して本実施形態の処理動作のフローを詳細に説明する。
【００３４】
まず、図３に加えてバックアップサービスの図１も参照して、近地バックアップセンタ２０は、交換用のバックアップディスク４１をユーザシステム１０に運搬する（Ｓ３０１）。
【００３５】
ユーザシステム１０では、コンピュータ１１を停止し、バックアップディスク４０のディスク１Ｂ／２Ｂ／３Ｂ／４Ｂを、バックアップディスク４１のディスク１Ｃ／２Ｃ／３Ｃ／４Ｃとそれぞれ交換する（Ｓ３０２）。
【００３６】
そして、コンピュータ１１を起動後、ディスク１Ａ／２Ａ／３Ａ／４Ａを交換したバックアップディスク４１の１Ｃ／２Ｃ／３Ｃ／４Ｃにそれぞれミラーリングおよび／またはレプリケーションで複製を行う（Ｓ３０３）。
【００３７】
交換したバックアップディスク４０のディスク１Ｂ／２Ｂ／３Ｂ／４Ｂを近地バックアップセンタ２０に搬送する（Ｓ３０４）。この運搬したバックアップディスク４０のディスク１Ｂ／２Ｂ／３Ｂ／４Ｂは、近地バックアップセンタ２０では、バックアップディスク４２のディスク１Ｄ／２Ｄ／３Ｄ／４Ｄとして扱う。
【００３８】
近地バックアップセンタ２０では、バックアップディスク４２のディスク１Ｄ／２Ｄ／３Ｄ／４Ｄを、コンピュータ２１のユーザディスク２３を使用して、バックアップディスク４３のディスク１Ｅ／２Ｅ／３Ｅ／４Ｅにミラーリングおよび／またはレプリケーションにより複製する（Ｓ３０５）。
【００３９】
この結果、２セットのバックアップディスクを作成することができるため、バックアップディスク４２のディスク１Ｄ／２Ｄ／３Ｄ／４Ｄを近地バックアップセンタ２０に保管し、バックアップディスク４３のディスク１Ｅ／２Ｅ／３Ｅ／４Ｅは、遠地バックアップセンタ３０に搬送する（Ｓ３０６）。
【００４０】
バックアップセンタ３０では、搬送されたバックアップディスク４３のディスク１Ｅ／２Ｅ／３Ｅ／４Ｅを保管する。この時、保管が不要になったバックアップディスクを近地バックアップセンタ２０に搬送して再利用可能なバックアップディスクとして保管する（Ｓ３０７）。図１では、バックアップディスク４４のディスク１Ｆ／２Ｆ／３Ｆ／４Ｆとして記載している。
【００４１】
次に、図４に加えて障害復旧サービスの図２も参照して、ユーザシステム１０のコンピュータ１１が障害より起動できなくなっているため、近地バックアップセンタ２０に保管してあるバックアップディスク４２のディスク１Ｄ／２Ｄ／３Ｄ／４Ｄをユーザシステムに運搬する（Ｓ４０１）。この運搬したバックアップディスク４２のディスク１Ｄ／２Ｄ／３Ｄ／４Ｄは、ユーザシステム１０では、バックアップディスク４１のディスク１Ｃ／２Ｃ／３Ｃ／４Ｃとして扱う。
【００４２】
自然災害等で近地バックアップセンタ２０に保管したあるバックアップディスク４２のディスク１Ｄ／２Ｄ／３Ｄ／４Ｄが使用できない時は、遠地バックアップセンタ３０に保管してあるバックアップディスク４３のディスク１Ｅ／２Ｅ／３Ｅ／４Ｅをユーザシステムに運搬する（Ｓ４０２）。この運搬したバックアップディスク４３のディスク１Ｅ／２Ｅ／３Ｅ／４Ｅは、ユーザシステム１０では、バックアップディスク４１のディスク１Ｃ／２Ｃ／３Ｃ／４Ｃとして扱う。
【００４３】
ユーザシステム１０では、コンピュータ１１が起動できない状態であるため、障害ディスク５０のディスク１Ａ／２Ａ／３Ａ／４Ａを、バックアップディスク４１のディスク１Ｃ／２Ｃ／３Ｃ／４Ｃとそれぞれ交換する（Ｓ４０３）。
【００４４】
コンピュータ１１を起動後、交換したディスクを障害ディスク５１の１Ｂ／２Ｂ／３Ｂ／４Ｂにミラーリングおよび／またはレプリケーションを行う（Ｓ４０４）。なお、本構成には記載していないが、障害の状況によっては、障害ディスク５１のディスク１Ｂ／２Ｂ／３Ｂ／４Ｂも予備のディスクと交換することもある。また、障害ディスク５０のディスク１Ａ／２Ａ／３Ａ／４Ａの一部のディスクのみを交換することもある。
【００４５】
なお、本実施形態に記載しているミラーリングは、ハードウェアミラまたはソフトウェアミラである。
【００４６】
また、本実施形態のバックアップサービスでは、２本のディスクでミラーリングおよび／またはレプリケーションを構成しているが、３本以上のミラーリングおよび／またはレプリケーションのディスクにおいても適用できる。この場合、ミラーリングを行う場面でも２本以上のディスクで動作しているため、信頼性が向上する。
【００４７】
また、本実施形態のバックアップサービスでは、バックアップディスクを複製し、近地バックアップセンタ２０と遠地バックアップセンタ３０に保管しているが、近地バックアップセンタ２０または遠地バックアップセンタ３０のみの構成でも良い。
【００４８】
また、本実施形態のバックアップサービスでは、近地バックアップセンタ２０と遠地バックアップセンタ３０が１箇所ずつの構成であるが、それぞれ複数箇所にすることもできる。これにより、１箇所のバックアップセンタの負荷が高い時でも迅速な復旧が可能である。
【００４９】
また、本実施形態のバックアップサービスでは、バックアップディスクを複製し、近地バックアップセンタ２０と遠地バックアップセンタ３０に保管しているが、３本のバックアップディスクを作成し、ユーザシステムと近地バックアップセンタ２０と遠地バックアップセンタ３０に保管することもできる。この場合、ユーザシステムのバックアップディスクで復旧できることもあるため、より迅速な復旧が可能である。
【００５０】
また、本実施形態のバックアップサービスでは、近地バックアップセンタ２０で、バックアップディスクの複製を作成して、複製を遠地バックアップセンタ３０に搬送しているが、世代管理を行い、最新世代のバックアップディスクを近地バックアップセンタ２０に保管し、一世代前のバックアップディスクを遠地バックアップセンタ３０に保管することもできる。
【００５１】
また、本実施形態のバックアップサービスでは、近地バックアップセンタ２０で、バックアップディスクの複製を作成して、複製を遠地バックアップセンタ３０に搬送しているが、世代管理を行い、最新世代のバックアップディスクをユーザシステム内に保管し、一世代前のバックアップディスクを近地バックアップセンタ２０に保管し、二世代前のバックアップディスクを遠地バックアップセンタ３０に保管することもできる。
【００５２】
また、本実施形態のバックアップサービスでは、バックアップディスクを複製し、近地バックアップセンタ２０と遠地バックアップセンタ３０に保管しているが、各バックアップセンタに複数のバックアップディスクを保管し、世代管理を行うこともできる。
【００５３】
また、本実施形態のバックアップサービスでは、近地バックアップセンタ２０で、バックアップディスクの複製を作成して、複製を遠地バックアップセンタ３０に搬送しているが、ユーザシステムで複製を作成して、近地バックアップセンタ２０と遠地バックアップセンタ３０に運搬することもできる。その際、ユーザシステムにバックアップディスクを保管することもできる。
【００５４】
また、本実施形態のバックアップ／障害復旧サービスでは、バックアップディスクの貸し出しを行っているが、バックアップディスクをユーザが用意することもできる。
【００５５】
また、本実施形態のバックアップ／障害復旧サービスでは、バックアップおよび障害復旧をバックアップセンタが行っているが、ユーザが行うこともできる。この場合、バックアップセンタは、媒体の運搬と保管を行う。
【００５６】
また、本実施形態のバックアップ／障害復旧サービスでは、システムディスクおよびユーザディスクのバックアップ／障害復旧を対象としているが、システムディスクまたはユーザディスクのみを対象にすることもできる。
【００５７】
上記の実施形態によれば、バックアップディスクを別ディスクにミラーリングおよび／またはレプリケーションすることにより複製できるため、複数のバックアップディスクを容易に作成することが可能である。このため、本サービスでは、迅速な復旧を目的としたバックアップディスクを近地に保管し、地震等の災害時の復旧を目的としたバックアップディスクを遠地に保管することにより、バックアップ媒体の安全性を高めることができる。
【００５８】
また、本運用に必要なバックアップディスクは、本バックアップシステムで貸し出すため、ユーザシステムで余分なバックアップ媒体を用意する必要がない。なお、本バックアップシステムでは、ディスクの貸し出し／運搬／保管／運用サービスを行うが、その費用は実費が発生するのみで回線利用料等の高価な固定費は発生しない。したがって、ユーザシステムおよびバックセンタの費用を抑えることができ、中小企業でも導入することが可能である。
【００５９】
なお、上述する実施の形態は、本発明の好適な実施の形態であり、本発明の要旨を逸脱しない範囲内において種々変更実施が可能である。例えば、複数のコンテンツベンダがネットワークを介して１つのサーバを共有してそのサーバ上に学習コンテンツ配信システムを構築することであってもよい。さらに、上記各実施形態における処理動作の全部または一部を情報処理装置により実行させるためのプログラムも本発明に属する。
【図面の簡単な説明】
【００６０】
【図１】本発明の実施形態におけるバックアップシステムの概略構成を示す図である。
【図２】本発明の実施形態における障害復旧システムの概略構成を示す図である。
【図３】バックアップ処理の動作を示すフローチャートである。
【図４】障害復旧処理の動作を示すフローチャートである。
【符号の説明】
【００６１】
１０    ユーザシステム
１１、２１    コンピュータ
１２、２２    システムディスク
１３、２３    ユーザディスク
４０、４１、４２、４３、４４    バックアップディスク
２０    近地バックアップセンタ
３０    遠地バックアップセンタ
５０、５１    障害ディスク
【図１】
2005301893.tif 000003
【図２】
2005301893.tif 000004
【図３】
2005301893.tif 000005
【図４】
2005301893.tif 000006